(57)【要約】  本考案は、囲む側壁フレームとワッシャとを含むスピーカーハウジングに関するものである。【解決手段】側壁フレームによって囲まれた部分は側壁フレームの内側であって、ワッシャは、側壁フレームに一体的に射出成形され、且つその少なくとも一部が側壁フレーム内に露出しており、側壁フレーム内に露出するワッシャの表面と側壁フレームの表面との間に、継ぎ目がある。継ぎ目の両側におけるワッシャおよび側壁フレームの表面には、クリアランス凹部が設けられている。本発明は、上記スピーカーハウジングを含むスピーカーユニットをさらに提供する。本発明の技術的効果は、ワッシャと側壁フレームとの間の継ぎ目から突出するプラスチックバリがラウドスピーカに影響を及ぼすことを防止することである。【選択図】図１
2018536343.tif 000002
【特許請求の範囲】
【請求項１】
側壁フレーム１に囲まれた部分を前記側壁フレーム１の内側とする前記側壁フレーム１と、
前記側壁フレーム１に一体的に射出成形され、且つ少なくとも一部が前記側壁フレーム１の内側に露出し、その前記側壁フレーム１の内側に露出している表面と前記側壁フレーム１の表面との間に継ぎ目３があるワッシャ２とを含み、
前記継ぎ目３の両側における前記ワッシャおよび前記側壁フレームの表面には、クリアランス凹部部４が設けられているスピーカーハウジング。
【請求項２】
前記クリアランス凹部部４は、前記継ぎ目３の前記側壁フレーム１の内側に向かう両側に設けられる請求項１に記載のスピーカーハウジング。
【請求項３】
前記クリアランス凹部部４は、前記継ぎ目３の前記側壁フレーム１の上方または下方に向かう両側に設けられる請求項１または２に記載のスピーカーハウジング。
【請求項４】
前記継ぎ目３は、前記ワッシャ２の両端に位置している請求項１に記載のスピーカーハウジング。
【請求項５】
前記側壁フレーム１は、矩形のフレーム構造を有する請求項１に記載のスピーカーハウジング。
【請求項６】
前記スピーカーハウジングは、４つのワッシャ２を含み、前記ワッシャ２は、側壁フレーム１の４つの側面にそれぞれ位置している請求項５に記載のスピーカーハウジング。
【請求項７】
前記側壁フレーム１はワッシャ部１１を有し、前記ワッシャ部１１は前記側壁フレーム１の内側に位置し、前記ワッシャ２は前記ワッシャ部１１に射出成形される請求項１に記載のスピーカーハウジング。
【請求項８】
請求項１〜７のいずれか１つに記載のスピーカーハウジングと、
前記側壁フレーム１の内側に配置された磁気回路システム５及び前記スピーカーハウジング上に配置された振動アセンブリを含み、
前記磁気回路システム５と前記ワッシャ２との間に磁気ギャップ５１が形成されるスピーカーユニット。
【発明の詳細な説明】
【技術分野】
【０００１】
本考案は、マイクロスピーカー分野に関し、特に、スピーカーハウジング及びスピーカーユニットに関する。
【背景技術】
【０００２】
マイクロスピーカーは、現代の民生用電子機器において重要な音響装置であり、電子製品の継続的な発展に伴い、マイクロスピーカーの性能も向上し続ける。スピーカーの音の性能を向上させるため、磁気回路システムのサイズを大きくする必要がある。一方、携帯電話やタブレットコンピュータなどの電子製品では、マイクロスピーカーのサイズに制限がある。したがって、磁気回路システムのサイズを大きくするために、当業者は、ハウジングの厚さを薄くすることによって、体積の増加とバランスさせることが多い。
【０００３】
しかしながら、上述したハウジングを薄型化する技術的手段は、ハウジングの強度を低下させやすくしてしまうため、スピーカーの信頼性が低下する。これに対し、当業者は、磁気回路システムの大型化とハウジングの強度確保をともに達成する目的で、ハウジングにワッシャの一部を直接注入する方法を更に利用する。しかし、ワッシャのサイズの製造公差によって、一体型射出成形中では、ワッシャとプラスチックケースとの接合部にプラスチックのバリが発生し、これらのバリがスピーカーユニットの磁気ギャップやその他の構造に突出する可能性があり、スピーカーの音響性能、組み立てプロセス及び構造安定性に影響を与える。
【０００４】
要するに、マイクロスピーカーの音響性能を確保するためには、突出したプラスチックバリのスピーカーユニットへの影響を避ける必要がある。したがって、ワッシャと一体的に射出成形するプラスチックハウジングを改善する必要がある。または、プラスチックハウジングにバリが発生しないように、新しい技術案を考案し採用することもできる。
【発明の概要】
【発明が解決しようとする課題】
【０００５】
本考案の１つの目的は、突出したプラスチックバリのスピーカー単体ユニットへの悪影響を防止することである。
【課題を解決するための手段】
【０００６】
本考案の一態様によれば、側壁フレームに囲まれた部分を前記側壁フレームの内側とする前記側壁フレームと、前記側壁フレームに一体的に射出成形されており、且つ少なくともその一部が前記側壁フレームの内側に露出しており、その前記側壁フレームの内側に露出している表面と前記側壁フレームの表面との間に継ぎ目があるワッシャとを含み、前記継ぎ目の両側における前記ワッシャおよび前記側壁フレームの表面には、クリアランス凹部が設けられているスピーカーハウジングを提供する。
【０００７】
好ましくは、前記クリアランス凹部は、前記継ぎ目の前記側壁フレームの内側に向かう両側に設けられてもよい。
【０００８】
好ましくは、前記クリアランス凹部は、前記継ぎ目の前記側壁フレームの上方または下方に向かう両側に設けられてもよい。
【０００９】
または、前記継ぎ目は、前記ワッシャの両端に位置していてもよい。
【００１０】
特に、前記側壁フレームは、矩形のフレーム構造を有してもよく、より好ましくは、前記スピーカーハウジングは、４つのワッシャを含み、前記ワッシャは、側壁フレームの４つの側面にそれぞれ位置していてもよい。
【００１１】
好ましくは、側壁フレームはワッシャ部を有し、前記ワッシャ部は側壁フレームの内側に位置し、前記ワッシャは前記ワッシャ部に射出成形されてもよい。
【００１２】
更に、本考案は、上記スピーカーハウジングと、前記側壁フレームの内側に配置された磁気回路システム及び前記スピーカーハウジング上に配置された振動アセンブリとを含み、前記磁気回路システムと前記ワッシャとの間に磁気ギャップが形成されるスピーカーユニットを提供する。
【発明の効果】
【００１３】
本考案の１つの技術的効果は、前記継ぎ目から突出するプラスチックバリのスピーカーの音質への影響を防ぐために、前記継ぎ目が前記側壁フレームに対して所定の距離だけ窪んでいるように、前記クリアランス凹部は、前記継ぎ目の周りに窪みを形成する。
【００１４】
本考案のさらなる特徴および利点は、図面を参照して、本発明に対する例示的な以下の実施形態の詳細な説明から明らかになるであろう。
【図面の簡単な説明】
【００１５】
本明細書の一部を構成する図面は、本発明の実施形態を示し、且つ明細書と共に本発明の原理を説明する。
【図１】本考案の一実施形態におけるスピーカーハウジングの立体構造を示す図である。
【図２】図1の部分拡大図である。
【図３】本考案の一実施形態におけるスピーカーハウジングの部分上面図である。
【図４】本考案の一実施形態における部分磁気回路システムを備えたスピーカーユニットの上面図である。
【発明を実施するための形態】
【００１６】
以下、図面を参照して、本発明の各種類の実施形態を詳細に説明する。これらの実施形態に記載された構成要素およびステップの相対的配置、数式、および数値は、特に断らない限り、本発明の範囲を限定するものではないことに留意すべきである。
【００１７】
少なくとも１つの例示的な実施形態の以下の説明は、単に例示にすぎず、決して本考案及びその適用または使用を限定することを意図するものではない。
【００１８】
関連分野の当業者に知られている技術および装置は詳細に議論されない可能性があるが、適切な場合には、前記技術および装置は明細書の一部として考慮されるものとする。
【００１９】
ここに示され、議論されるすべての例において、如何なる特定の値も、例示的なものとして解釈されるべきであり、限定して解釈されるべきではない。したがって、例示的な実施形態の他の例は、異なる値を有してもよい。
【００２０】
同様の番号およびアルファベットは、以下の図に類似の項目を表するため、１つの項目が１つの図に定義される場合、後の図でさらに論議する必要はないことに留意すべきである。
【００２１】
本考案は、閉鎖構造を囲み側壁フレームを含み、その閉鎖部分が側壁フレームの内側であるスピーカーハウジングを提供する。側壁フレームにはワッシャが一体的に射出成形され、ワッシャの少なくとも一部は側壁フレームの内側に露出される。例えば、ワッシャの下面及び側壁の一部を側壁フレームに射出成形し、ワッシャの他の側面及び上面を側壁フレームの内側に露出させてもよい。側壁フレームの内側に露出したワッシャの表面と側壁フレームの表面との間には継ぎ目があり、側壁フレームは継ぎ目に外側に突出するプラスチックバリが容易に生成される。特に、本考案は、継ぎ目の両側のワッシャ及び/又は側壁フレームの表面にクリアランス凹部を設け、クリアランス凹部を側壁フレームに所定の距離だけ窪ませるように、凹面状の段差部が継ぎ目の周りに形成される。クリアランス凹部は、継ぎ目を側壁フレーム内にある程度窪ませることによって、ワッシャの元の位置と側壁フレームとの間に短いクリアランス距離が形成される。クリアランス距離の長さは、通常、プラスチックバリの長さよりも大きいので、たとえプラスチックバリが継ぎ目から突出しても、ワッシャ及び側壁フレームの元の位置には延びない。ワッシャ及び側壁フレームの元の位置での表面は、組み立ての接触面及び磁気ギャップなどの構造の表面であり、プラスチックバリはこれらの位置まで延びておらず、組み立て及びスピーカーの性能に影響を与えない。
【００２２】
具体的には、図１および図２に示すように、本考案の一実施形態では、側壁フレーム１が矩形の枠構造を囲み、側壁フレーム１の内側にワッシャ２が射出成形される。ワッシャ２は、側壁フレーム1の内側に面する側と上側とがともに側壁フレーム１の内側に露出しており、継ぎ目３はワッシャ２の上面の縁から側方に延び、一部の継ぎ目３はさらにワッシャ２の下面まで延びている。具体的には、図２及び図３に示すように、ワッシャ２の側面の継ぎ目３の周囲に前記クリアランス凹部４が設けられている。前記クリアランス凹部４は、ワッシャ２の側面に形成されている段差部４１を含み、段差部４１から継ぎ目３を経て側壁フレーム１まで延び、継ぎ目３がワッシャ２の元の側縁位置から距離を置いているように、クリアランス凹部４の全体が側壁フレーム１に対して窪んでいる。
【００２３】
特に、図１〜図３に示す実施形態では、ワッシャ２のみに段差部４１が形成されており、側壁フレーム１の内面は段差部がなく、即ち、継ぎ目３の周囲の側壁フレーム１の内面を元の位置に戻らない。本考案の他の実施形態では、クリアランス凹部の段差部は、継ぎ目の両側のワッシャと側壁フレームの両方に同時に配置されてもよい。すなわち、クリアランス凹部は溝またはピットを形成し、継ぎ目はそれに落ち込む。或いは、段差部は側壁フレームにのみ設けられ、クリアランス凹部は、段差部から継ぎ目を経てワッシャまで延びている。本考案においては、クリアランス凹部の段差部の位置は限定されない。当業者は、スピーカーハウジングの実際の状況に応じて、ワッシャ及び/又は側壁フレームの異なる位置に段差部を設定することができる。
【００２４】
選択的に、図１〜図３に示す実施形態では、継ぎ目３の側壁フレーム1の内側に向かう両側にクリアランス凹部４が配置されており、このようなクリアランス凹部４は、継ぎ目３におけるプラスチックバリが磁気ギャップに突出することを防ぐことが可能である。本考案の他の実施形態では、クリアランス凹部４は、他の位置に配置されてもよい。例えば、図２の構造を例にすると、継ぎ目が下方または上方にある程度の距離だけ凹んでおり、クリアランス凹部４は、継ぎ目３の側壁フレーム1の上方又は下方に向かう両側に配置されていてもよい。すなわち、クリアランス凹部がワッシャ２の上面又は下面に配置されていてもよい。このように、ワッシャの上面または下面に他のスピーカー部品が取り付けられた場合、取付面は、継ぎ目におけるプラスチックバリの影響を受けず、スピーカーの構造的安定性を向上させることができる。
【００２５】
なお、実際の適用では、スピーカーの構造及び性能に対して異なる所要があるため、側壁フレーム及びワッシャの構造は一様ではなく、継ぎ目の位置もまた異なる。例えば、図１〜図３に示す実施形態では、継ぎ目３はワッシャ２の両端に現れ、継ぎ目３はワッシャの上面から下面まで延びている。しかし、他の実施形態では、継ぎ目は、ワッシャの側面または上面にのみ現れてもよい。例えば、ワッシャの下面と側面とが側壁フレームに埋設されている場合には、上面のみが側壁フレームの内側に露出しているので、ワッシャ２の上面にのみ継ぎ目が現れ、ワッシャは片側だけが側壁フレームの内側から露出している場合には、継ぎ目は前記ワッシャの側面にのみ現れる。
【００２６】
選択的に、図１および図３に示すように、側壁フレーム１は４つの真っ直ぐな辺を有し、より組み立てやすい矩形のフレーム構造を形成する。好ましくは、側壁フレーム１が矩形のフレーム構造を有する場合、スピーカーハウジングは４つのワッシャ２を含み、４つのワッシャ２はそれぞれ側壁フレーム１の４つの側面に配置される。勿論、当業者であれば、例えば、楕円形の側壁フレームを用いて、実際の状況に応じて側壁フレームの形状を変更することができ、さらに、側壁フレームに異なる数のワッシャ、例えば３個や５個を設けることもでき、本考案はこれを限定しない。
【００２７】
特に、図１及び図２に示すように、側壁フレーム１は、ワッシャ部１１を有し、前記ワッシャ部１１は、通常、側壁フレーム１の内側に位置し、前記ワッシャ２を支持するものとして機能し、ワッシャ部１１には前記ワッシャ２が配置されている。スピーカーユニット構造では、ワッシャ２の上下面に他の部材を設けなければならない場合が多く、ワッシャ部１１はワッシャ２を良好に支持することができ、上下面における部材の配置を容易にするように、ワッシャ２を側壁フレームの内側へ一部延長させる。
【００２８】
また、本考案は、上記スピーカーハウジングを含むスピーカーユニットを提供する。スピーカーハウジングには振動アセンブリが配置され、側壁フレーム１の内側には磁気回路システムが配置されている。図４は、部分磁気回路システムを有するスピーカーハウジングの上面図であり、図４に示すように、磁気回路システムとワッシャ２との間に磁気ギャップが形成されている。クリアランス凹部４は、継ぎ目３を磁気ギャップから離れる方向に窪ませて、プラスチックバリが磁気ギャップ内に突出するのを防止することができる。振動アセンブリのボイスコイルが磁気ギャップ内に配置されているので、プラスチックバリが磁気ギャップ内に突出すると、ボイスコイルの振動が影響を受ける。図４に示す実施形態では、スピーカーハウジングは、プラスチックバリがスピーカーユニットの音の性能に影響を及ぼすことを防止することができる。本考案の他の実施形態では、本スピーカーハウジングでは、クリアランス凹部がワッシャの上面または下面に配置されるときに、プラスチックバリが磁気回路システムの設置安定性に影響を及ぼすことも防ぐことができる。
【００２９】
本考案の特定の実施形態を例に、詳細に説明したが、当業者であれば、上記の例は説明の目的するためのものにすぎず、本考案の範囲を限定するものではないことを理解すべきである。当業者であれば、上記の実施形態は、本考案の範囲および主旨から逸脱することなく変更され得ることを理解すべきである。本考案の範囲は、添付の特許請求の範囲によって規定される。
【図１】
2018536343.tif 000003
【図２】
2018536343.tif 000004
【図３】
2018536343.tif 000005
【図４】
2018536343.tif 000006
【国際調査報告】
2018536343.tif 000007
2018536343.tif 000008
2018536343.tif 000009
2018536343.tif 000010